(57)【要約】【課題】  振動や衝撃による化粧料等の破損を確実に防止するとともに、化粧料を充填した中皿の装着・交換が容易な化粧料容器を提供すること。【解決手段】  化粧料を充填する中皿を収容する容器本体と、容器本体に開閉自在な上蓋とを備えた化粧料容器であって、容器本体は、外周面と底面を形成する外枠部と、少なくとも内周面に中皿を保持する弾性体を設けるとともに、内方に張り出し中皿の上端に当接する張出部を設けた皿枠部と、底面に中皿を出し入れ可能に開閉する底蓋とを備え、底蓋の上面には、閉蓋時に中皿の底部を弾性的に押圧する弾性押圧部を設けたことを特徴とする。【選択図】  図３
2014213117.tif 000002
【特許請求の範囲】
【請求項１】
化粧料を充填する中皿を収容する容器本体と、容器本体に開閉自在な上蓋とを備えた化粧料容器であって、
容器本体は、外周面と底面を形成する外枠部と、少なくとも内周面に中皿を保持する弾性体を設けるとともに、内方に張り出し中皿の上端に当接する張出部を設けた皿枠部と、底面に中皿を出し入れ可能に開閉する底蓋とを備え、
底蓋の上面には、閉蓋時に中皿の底部を弾性的に押圧する弾性押圧部を設けたことを特徴とする化粧料容器。
【請求項２】
皿枠部内周面の弾性体には、対向する少なくとも一対の変形当接部が設けられ、変形当接部には内方に突出する複数の突条片が設けられていることを特徴とする請求項１記載の化粧料容器。
【請求項３】
皿枠部に設けられた弾性体は、インサートされて一体に成形されたエラストマーであることを特徴とする請求項１または２記載の化粧料容器。
【請求項４】
底蓋は、一端に外枠部の対向する内面に設けられた一対の長溝にスライド可能かつ回動可能に嵌合する一対の突出ピンが設けられ、他端には外枠部の係合凹部に嵌合するフック状突片が設けられていることを特徴とする請求項１〜３のいずれかに記載の化粧料容器。
【請求項５】
底蓋の弾性押圧部は、底蓋から切り離されて上方に突出した板ばね状の切り起こし片であることを特徴とする請求項１〜４のいずれかに記載の化粧料容器。
【請求項６】
底蓋の弾性押圧部は、底蓋の上面に取り付けられた弾性体であることを特徴とする請求項１〜４のいずれかに記載の化粧料容器。
【請求項７】
底蓋の弾性押圧部は、底蓋にインサート成形により一体に形成されたエラストマーであることを特徴とする請求項１〜４のいずれかに記載の化粧料容器。
【発明の詳細な説明】
【技術分野】
【０００１】
本発明は、ファンデーションやアイシャドー等の化粧料を収容する化粧料容器に関し、とくに化粧料を充填した中皿を弾性的に保持してガタつきを防止するとともに、衝撃による化粧料等の破損を防止する化粧料容器に関するものである。
【背景技術】
【０００２】
化粧料を収容するコンパクトに代表される化粧料容器では、化粧料を充填した化粧料用中皿を容器本体の皿枠部に交換可能に装着したものが広く用いられている。
ファンデーション等の化粧料は、中皿に充填する際にプレスされ成形された状態で収容されるが、搬送中の振動による中皿のガタつきや、容器を落下させたときの衝撃などで化粧料にひび割れが生じたり欠損したりすることがある。
【０００３】
このような化粧料等の破損が生じないように、中皿を容器本体に弾性体を介して装着し、衝撃を吸収するようにした化粧料容器が従来より知られている（例えば、特許文献１参照）。  
【先行技術文献】
【特許文献】
【０００４】
【特許文献１】特開２００５−３０４８５０号公報
【発明の概要】
【発明が解決しようとする課題】
【０００５】
しかしながら、上記特許文献１記載の化粧料容器では、クッション部材４の凸部４ａが中皿２の凹部２ａに嵌合して中皿２を保持するようにしているため、嵌め合い精度との関係で、振動によって多少のガタつきが生じたり、強い衝撃で中皿２がクッション部材４から脱落するような場合があった。
また、中皿２のガタつきや脱落がないように中皿２とクッション部材４との嵌合強度を強めると、中皿２を装着する際に嵌合時の衝撃で化粧料等が破損するなど、容器本体１への装着が困難になる場合があった。
【０００６】
本発明は、上記問題を解決することを課題とし、振動や衝撃による化粧料等の破損を確実に防止するとともに、化粧料を充填した中皿の装着・交換が容易な化粧料容器を提供することを目的とする。
【課題を解決するための手段】
【０００７】
本発明は、上記の課題を解決するため、化粧料容器として、化粧料を充填する中皿を収容する容器本体と、容器本体に開閉自在な上蓋とを備えた化粧料容器であって、容器本体は、外周面と底面を形成する外枠部と、少なくとも内周面に中皿を保持する弾性体を設けるとともに、内方に張り出し中皿の上端に当接する張出部を設けた皿枠部と、底面に中皿を出し入れ可能に開閉する底蓋とを備え、底蓋の上面には、閉蓋時に中皿の底部を弾性的に押圧する弾性押圧部を設けたことを特徴とする構成を採用する。
【０００８】
化粧料容器の実施形態として、皿枠部内周面の弾性体には、対向する少なくとも一対の変形当接部が設けられ、変形当接部には内方に突出する複数の突条片が設けられていることを特徴とする構成、また、皿枠部に設けられた弾性体は、インサートされて一体に成形されたエラストマーであることを特徴とする構成を採用する。
【０００９】
化粧料容器の底蓋の実施形態として、底蓋は、一端に外枠部の対向する内面に設けられた一対の長溝にスライド可能かつ回動可能に嵌合する一対の突出ピンが設けられ、他端には外枠部の係合凹部に嵌合するフック状突片が設けられていることを特徴とする構成、また、底蓋の弾性押圧部は、底蓋から切り離されて上方に突出した板ばね状の切り起こし片であることを特徴とする構成、または、底蓋の上面に取り付けられた弾性体であることを特徴とする構成、または、底蓋にインサート成形により一体に形成されたエラストマーであることを特徴とする構成を採用する。
【発明の効果】
【００１０】
本発明の化粧料容器は、皿枠部に、中皿を保持する弾性体と中皿の上端に当接する張出部を設け、中皿を出し入れ可能に開閉する底蓋の上面に、閉蓋時に中皿の底部を弾性的に押圧する弾性押圧部を設けているから、中皿は、張出部と弾性押圧部によって弾性的に挟持されるとともに周面を皿枠部の弾性体によって弾性的に保持されて、振動や衝撃による化粧料等の破損や中皿の脱落を確実に防止することができる。
また、中皿は、底蓋を開き底面側から挿入するだけでよく、底蓋を閉めることによって、上端が張出部に当接するまで底部から弾性的に押圧されながら押し上げられるから、容易かつ安全に容器本体に装着することができる。
【図面の簡単な説明】
【００１１】
【図１】本発明の実施例である化粧料容器の上蓋を開蓋した状態を示す図であり、（ａ）は上面図、（ｂ）は左側面図である。
【図２】本発明の実施例である化粧料容器の上蓋を開蓋した状態を示す下面図である。
【図３】本発明の実施例である化粧料容器の上蓋を閉蓋した状態を示す正面断面図［図１（ａ）のＡ−Ａ線位置における断面図］である。
【図４】本発明の実施例である化粧料容器の上蓋を閉蓋した状態を示す図であり、（ａ）は図３のＢ−Ｂ断面における矢視図、（ｂ）は図３のＣ−Ｃ断面における矢視図である。
【図５】本発明の実施例である化粧料容器に中皿を装着する際の態様を示す正面断面図の要部拡大図であり、（ａ）は底蓋を開蓋した状態を示し、（ｂ）は中皿を挿入した後、底蓋を回動して底開口部を閉鎖した状態を示し、（ｃ）は底蓋をスライドして完全に閉蓋した状態を示す図である。
【発明を実施するための形態】
【００１２】
次に、本発明の化粧料容器について、実施例を示した図面を参照して説明する。
【実施例】
【００１３】
図１〜５において、１は化粧料を充填した中皿３を収容する容器本体であり、２は容器本体１の上面を覆うように、ヒンジ部４を介して開閉自在に連結された上蓋である。
容器本体１は、外周面を形成する側周壁７と底面を形成する底壁８を有する外枠部６と、底壁８に設けられた中皿３を出し入れする底開口部９を開閉する底蓋１０と、外枠部６の内側に取り付けられ中皿３を収容する皿枠部１２からなっている。
【００１４】
図１〜４に示すように、外枠部６は略直方体形状をなし、側周壁７には、長辺の一方にヒンジ部４が設けられ、ヒンジ部４に対向する他方の長辺には、上蓋２に係合する係合端子１３が設けられている。
皿枠部１２は、平面視で略長方形の中皿収容部１５とパフ等の化粧具収容部１６とを備えており、外周は接着、係合など適宜の手段で外枠部６に固定されている。
本実施例では、外枠部６を略直方体とし、皿枠部１２に中皿収容部１５と化粧具収容部１６とを設けたが、本発明の化粧料容器は、このような形態に限定されず、外枠部６、中皿収容部１５、化粧具収容部１６は、楕円形や円形、多角形など適宜の形状でよく、化粧具収容部１６は必ずしも必要ではない。
【００１５】
皿枠部１２の中皿収容部１５の上部には、内方に張り出した張出部１８が設けられ、中皿収容部１５の内周面および張出部１８の下面には、エラストマー等の弾性体１９がインサート成形により一体に形成されている。
弾性体１９の内周面には、中皿３の外周面に当接するように内方に突出する複数の突条片２１を備えた変形当接部２０が、それぞれ対向する辺部に設けられている。
本実施例では、変形当接部２０は４辺にそれぞれ設けられているが、必ずしもこのように配置する必要はなく、対向する部位に少なくとも一対設けられていればよい。
なお、弾性体１９は、皿枠体１２とは別体で成形され、中皿収容部１５の内周面とアンダーカット嵌合されたり、接合或いは接着等により形成されてもよい。
【００１６】
底蓋１０は、一端に外枠部６の長辺の対向する内面に設けられた一対の長溝２３にスライド可能かつ回動可能に嵌合する一対の突出ピン２４が設けられ、他端には長辺方向内方に突出するフック状突片２５を具えた立ち上がり部が設けられている。
フック状突片２５が外枠部６の係合凹部２６に嵌合し、底蓋１０が閉蓋されたとき、底蓋１０の外周面は外枠部６と面一となるように形成されており、外観上目立たないようになっている。
また、底蓋１０の下面には、手指を引っ掛けて底蓋１０をスライドさせるための指掛け凹部２７が形成されている。
【００１７】
底蓋１０には、一部が切り離されて上方に突出し、板ばね状に反って弾性を有する切り起こし片３０が設けられ、閉蓋時に中皿３の底部を弾性的に押圧するようになっている。
切り起こし片３０の上面には、中皿３の底部を安定して押圧するための複数の凸部３１が設けられている。
本実施例では、切り起こし片３０は長手方向を長辺方向として２片設けられているが、その方向や数は適宜決定しうる。
また、本実施例では、中皿３の底部を押圧する弾性押圧部として、底蓋１０に切り起こし片３０を設けたが、底蓋１０とは別体のばねやゴムなどの弾性体を底蓋１０の上面に取り付けるようにしてもよく、また、底蓋１０の上面にインサート成形によりエラストマーを一体に形成してもよい。
【００１８】
上蓋２は、ヒンジ部４によって容器本体１の外枠部６と回動可能に連結され、上蓋２を閉じると容器本体１の上面が覆われて、化粧料等が収容された内部が密閉されるようになっている。
上蓋２のヒンジ部４に対向する長辺側には、閉蓋時に係合端子１３と係合するフック状係合部３５が設けられている。
また、上蓋２の内面には、鏡３６が取り付けられている。
【００１９】
次に、本実施例の使用態様と作用効果について説明する。
まず、底蓋１０を開蓋する態様を説明する。
図１〜４および図５（ｃ）に示される底蓋１０が閉蓋された状態から、底蓋１０の指掛け凹部２７に手指をかけて、フック状突片２５と係合凹部２６の嵌合を解除するように底蓋１０を外方に引き出すと、突出ピン２４が長溝２３内を摺動して、底蓋１０がスライドして、図５（ｂ）に示す状態に移行する。
さらに図５（ａ）に示すように、フック状突片２５と係合凹部２６との係合が完全に解除されて、底蓋１０が突出ピン２４回りに回動して下方に垂下すると、底開口部９が現れる開蓋状態となる。
【００２０】
次に、中皿３を容器本体１に装着する態様を説明する。
図５（ａ）に示すように、中皿３を下方から底開口部９を通って皿枠部１２の中皿収容部１５に挿入すると、中皿３の外周面が弾性体１９の変形当接部２０を圧縮変形するようになり、中皿３は手を離しても皿枠部１２の内周に保持されるようになる。
その後、図５（ｂ）に示すように、底蓋１０を閉めて底開口部９を閉鎖すると、その過程で切り起こし片３０が中皿３の底部を押圧するようになり、中皿３の上端が張出部１８の下面の弾性体１９に押し付けられるようになる。
【００２１】
さらに、底蓋１０を上方に押し付けたまま内方にスライドさせると、フック状突片２５と係合凹部２６が嵌合し、図５（ｃ）に示す完全な閉蓋状態となる。
閉蓋状態では、底蓋１０は切り起こし片３０によって下方に押圧されているから、底蓋１０は不用意にスライドして開蓋するようなことはない。
このように底蓋１０が完全に閉じた状態では、中皿３は、外周面と上端を弾性体１９で支持され、底部を切り起こし片３０で弾性的に押圧支持されているから、振動によってガタついたり、落下等により強い衝撃を受けても衝撃を吸収するとともに中皿３が脱落するようなことはない。
【００２２】
しかも、中皿３は、底蓋１０の閉蓋時に切り起こし片３０によって弾性的に押圧されながら張出部１８に当接するので、中皿３の装着が容易になるとともに、装着時の衝撃で化粧料が損傷するようなことがない。
なお、実施例のように、張出部１８の下面にも弾性体１９を設けた方が、衝撃を緩和する上でより好ましいが、中皿３は切り起こし片３０によって弾性的に押圧されているので、張出部１８には弾性体１９がなくてもよい。
【００２３】
なお、本実施例では、上蓋２は容器本体１とヒンジ結合されているが、必ずしもヒンジ結合である必要はなく、また、容器本体と結合されていない別体の上蓋でもよい。
また、本実施例では、底蓋１０は、スライドすることによってフック状突片２５と係合凹部２６が嵌合して外周面が外枠部６と面一となり、外観に優れるとともに切り起こし片３０の押圧力によって係合強度の高いものになっているが、必ずしもこのようなスライド係合式のものでなくともよく、切り起こし片３０等の弾性押圧部の押圧力に見合う係合強度を有するものであれば採用可能である。
【産業上の利用可能性】
【００２４】
本発明の化粧料容器は、弾性体によって容器本体に押圧保持され、振動や落下等の衝撃による化粧料の破損や中皿の脱落を確実に防止することができるとともに、中皿の容器本体への装着・交換が容易なので、化粧料容器として広く利用可能であるが、とくにコンパクトなどの携帯用化粧料容器として好適である。
【符号の説明】
【００２５】
１            容器本体
２            上蓋
３            中皿
４            ヒンジ部
６            外枠部
７            側周壁
８            底壁
９            底開口部
１０            底蓋
１２            皿枠部
１３            係合端子
１５            中皿収容部
１６            化粧具収容部
１８            張出部
１９            弾性体
２０            変形当接部
２１            突条片
２３            長溝
２４            突出ピン
２５            フック状突片
２６            係合凹部
２７            指掛け凹部
３０            切り起こし片（弾性押圧部）
３１            突部
３５            フック状係合部
３６            鏡
【図１】
2014213117.tif 000003
【図２】
2014213117.tif 000004
【図３】
2014213117.tif 000005
【図４】
2014213117.tif 000006
【図５】
2014213117.tif 000007